(57)【要約】【課題】視聴者情報等を考慮して複数の動画コンテンツの編成を自動的に行う。【解決手段】動画コンテンツの編成を行う動画コンテンツ編成装置において、動画コンテンツの属性情報と視聴者属性情報を保持し、配信対象となる視聴者に関する項目情報と、配信時期に関する項目情報と、各項目情報の優先度とを含むコンセプトシートをジャンル毎に保持し、動画コンテンツの属性情報及び視聴者属性情報に基づき、視聴者から受信したジャンル特定情報に対応するコンセプトシートの各項目情報の内容に適合する動画コンテンツを選択し、選択された各動画コンテンツに対して前記項目情報の優先度に基づき優先度を付け、動画コンテンツを配信する順番を決定する。【選択図】図１
2007201741.tif 000002
【特許請求の範囲】
【請求項１】
視聴者に配信する番組を構成する動画コンテンツの編成を行う動画コンテンツ編成装置であって、
動画コンテンツ毎に動画コンテンツの属性情報を格納する動画コンテンツ属性情報格納手段と、
視聴者毎に視聴者の属性情報を格納する視聴者属性情報格納手段と、
特定のジャンルに対応する動画コンテンツを選択するためのキーワードと、当該ジャンルに対応する動画コンテンツを配信する対象となる視聴者に関する項目情報と、当該ジャンルに対応する動画コンテンツを配信する時期に関する項目情報と、各項目情報の優先度とを含むコンセプトシートをジャンル毎に格納するコンセプトシート格納手段と、
視聴者の端末から視聴者IDと前記ジャンルを特定するジャンル特定情報とを受信する受信手段と、
前記ジャンル特定情報に対応するコンセプトシートを前記コンセプトシート格納手段から取得するコンセプトシート取得手段と、
前記コンセプトシート取得手段により取得されたコンセプトシートに記述されたキーワードに対応する動画コンテンツの属性情報を前記動画コンテンツ属性情報格納手段から取得し、前記視聴者IDに対応する視聴者属性情報を前記視聴者属性情報格納手段から取得する属性情報取得手段と、
前記属性情報取得手段により取得された動画コンテンツの属性情報と視聴者属性情報とに基づき、前記コンセプトシートにおける各項目情報の内容に適合する動画コンテンツを選択するコンテンツ選択手段と、
前記コンテンツ選択手段により選択された各動画コンテンツに対して前記項目情報の優先度を用いて優先度を付けることにより、選択された動画コンテンツを配信する順番を決定する番組編成手段と
を備えることを特徴とする動画コンテンツ編成装置。
【請求項２】
前記番組編成手段は、選択された各動画コンテンツに対して、当該動画コンテンツと前記項目情報との適合度合いに応じて点数を付け、前記優先度に応じて当該点数に所定の値を乗算することにより得られた点数に基づき前記優先度を決定することを特徴とする請求項１に記載の動画コンテンツ編成装置。
【請求項３】
前記動画コンテンツ編成装置は商品毎に商品の属性情報を格納した商品属性情報格納手段を更に備え、前記コンセプトシートは動画コンテンツが扱う商品に関する項目情報を更に含むことを特徴とする請求項１又は２に記載の動画コンテンツ編成装置。
【発明の詳細な説明】
【技術分野】
【０００１】
本発明は、ネットワークを介して広告動画等のコンテンツをクライアント端末に配信する技術に関するものである。
【背景技術】
【０００２】
現在、インターネット等のネットワークに接続されたパソコンやテレビ等の端末を用いることにより、様々な動画を視聴することが可能である。このようなネットワークを介した動画配信サービスでは放送型サービスも提供されている。従来の放送型サービスにおいては一般に番組編成者が日単位にどのような動画を放送するかを決定している。
【０００３】
しかし、動画コンテンツが多量に存在する場合、番組編成者が多量の動画コンテンツの中から放送すべき動画を選択し、日々の放送内容の編成を行うのは現実的ではない。
【０００４】
また、従来の放送型サービスにおいて視聴者は製作者側によって作成された番組編成に従い一方的に視聴するだけであり、視聴者の趣味嗜好等が反映されず、視聴者は自分の興味のある番組を視聴できるとは限らないという問題があった。また、VODサービス等においては視聴者がいつでも見たい時に見たい番組を選択し視聴することが可能だが、動画コンテンツ数が膨大になった場合においては番組の選択に手間がかかるという問題がある。
【０００５】
なお、広告コンテンツ配信に関連する従来技術として例えば特許文献１に開示されている技術がある。
【特許文献１】特開２００３−２８４０４１号公報
【発明の開示】
【発明が解決しようとする課題】
【０００６】
本発明は上記の点に鑑みてなされたものであり、多種、多量の動画コンテンツの中から視聴者情報等の要素を考慮して配信すべき複数の動画コンテンツを選択し、これら複数の動画コンテンツの編成を自動的に行うことを可能とした動画編成技術を提供することを目的とする。
【課題を解決するための手段】
【０００７】
上記の課題は、視聴者に配信する番組を構成する動画コンテンツの編成を行う動画コンテンツ編成装置であって、動画コンテンツ毎に動画コンテンツの属性情報を格納する動画コンテンツ属性情報格納手段と、視聴者毎に視聴者の属性情報を格納する視聴者属性情報格納手段と、特定のジャンルに対応する動画コンテンツを選択するためのキーワードと、当該ジャンルに対応する動画コンテンツを配信する対象となる視聴者に関する項目情報と、当該ジャンルに対応する動画コンテンツを配信する時期に関する項目情報と、各項目情報の優先度とを含むコンセプトシートをジャンル毎に格納するコンセプトシート格納手段と、視聴者の端末から視聴者IDと前記ジャンルを特定するジャンル特定情報とを受信する受信手段と、前記ジャンル特定情報に対応するコンセプトシートを前記コンセプトシート格納手段から取得するコンセプトシート取得手段と、前記コンセプトシート取得手段により取得されたコンセプトシートに記述されたキーワードに対応する動画コンテンツの属性情報を前記動画コンテンツ属性情報格納手段から取得し、前記視聴者IDに対応する視聴者属性情報を前記視聴者属性情報格納手段から取得する属性情報取得手段と、前記属性情報取得手段により取得された動画コンテンツの属性情報と視聴者属性情報とに基づき、前記コンセプトシートにおける各項目情報の内容に適合する動画コンテンツを選択するコンテンツ選択手段と、前記コンテンツ選択手段により選択された各動画コンテンツに対して前記項目情報の優先度に基づき優先度を付けることにより、選択された動画コンテンツを配信する順番を決定する番組編成手段とを備えることを特徴とする動画コンテンツ編成装置により解決される。
【０００８】
前記番組編成手段は、選択された各動画コンテンツに対して、当該動画コンテンツと前記項目情報との適合度合いに応じて点数を付け、前記優先度に応じて当該点数に所定の値を乗算することにより得られた点数に基づき前記優先度を決定するよう構成できる。また、前記動画コンテンツ編成装置は商品毎に商品の属性情報を格納した商品属性情報格納手段を更に備え、前記コンセプトシートは動画コンテンツが扱う商品に関する項目情報を更に含むこととしてもよい。
【発明の効果】
【０００９】
本発明によれば、予め作成したコンセプトシート、動画コンテンツの属性情報、視聴者属性情報等を使用することにより、コンテンツ提供者側は適切な視聴者に適切な動画を編成の手間を省いて配信することが可能となる。また、視聴者側はジャンル名等を入力するだけで知らず知らずのうちに自分にとって興味のある動画を視聴することが可能となる。
【発明を実施するための最良の形態】
【００１０】
以下、図面を参照して本発明の実施の形態における動画配信システムについて説明する。なお、本発明の技術はどのような動画コンテンツに対しても適用することができるが、本実施の形態では本発明を広告動画に適用した場合について説明する。
【００１１】
（基本構成）
図１に本発明の実施の形態における動画配信システムの構成を示す。図１に示すように、本発明の実施の形態における動画配信システムは、番組編成を行う番組編成サーバ１、広告動画を配信する動画配信サーバ２、及び視聴者側のクライアント端末３を備えており、これらがインターネット４を介して接続されている。
【００１２】
動画配信サーバ２は、番組編成サーバ１で編成された複数の広告動画コンテンツからなる番組を各クライアント端末に配信する機能を有している。クライアント端末３は例えばPC（パーソナルコンピュータ）であり、動画配信サーバ２から配信される番組をインターネットを介して受信し、出力する機能等を有している。なお、クライアント端末３、動画配信サーバ２は既存の技術を用いて実現できる。以下、番組編成サーバ１の構成について詳細に説明する。
【００１３】
図１に示す通り、番組編成サーバ１は、コンセプトシート作成機能部１１、キーワード受付機能部１２、オープニングムービー選択機能部１３、コンセプトシート検索機能部１４、属性データ取得機能部１５、コンテンツ選択機能部１６、番組編成機能部１７、外部通信機能部１８、データベース格納部１９を有している。
【００１４】
コンセプトシート作成機能部１１はコンセプトシート作成時におけるユーザ認証、コンセプトシート作成用GUIをクライアント端末に提供する機能、コンセプトシート入力受付、登録を行う機能を有している。このコンセプトシートのデータに基づき自動的に番組編成が行われるが、詳細については後述する。
【００１５】
キーワード受付機能部１２は視聴者によりクライアント端末３に入力されたキーワードをネットワークを介して受け付ける機能を有している。オープニングムービー選択機能部１３は入力されたキーワードに対応したオープニングムービーの選択を行う機能を有している。コンセプトシート検索機能部１４は入力されたキーワードに対応したコンセプトシートの検索を行う機能を有している。属性データ取得機能部１５は各データベースに存在する属性データを取得する機能を有している。
【００１６】
また、コンテンツ選択機能部１６は取得した属性データとコンセプトシートのデータを元に番組の要素となる広告動画コンテンツを選択する機能を有している。番組編成機能部１７は選択された複数の広告動画コンテンツに対して優先度を決定し、複数の広告動画コンテンツを配信する順番を決定する機能を有している。外部通信機能部１８はインターネット等のネットワークを介して外部との通信を行うための機能を有している。
【００１７】
また、データベース格納部１９は広告動画データベース１９１、商品データベース１９２、及び視聴者データベース１９３を格納している。
【００１８】
広告動画データベース１９１には広告動画コンテンツの実体とともに各広告動画コンテンツの属性（メタデータとも呼ぶ）を示す広告動画属性テーブルが格納されている。図２に広告動画属性テーブルの項目の一例を示す。主な項目について以下説明する。
【００１９】
「広告動画ID」は広告動画もしくはコンセプトシートを一意に定義する識別子である。「ジャンル・カテゴリ」は当該広告動画コンテンツのジャンルであり、複数のジャンルを対応付けることが可能である。また、「キーワード」は検索時に検索対象となるキーワードであり、これも複数記述することが可能である。「商品ID」は広告動画内に表示される商品に関する識別子である。
【００２０】
「映像詳細」は広告動画の映像の構成やトータルの雰囲気を示すものであり、この項目の値を参照することにより、番組編成時にコンセプトや構成の統一を図ることが可能となる。例えば「映像内容」は“ストーリ性あり”、“商品映像のみ”等であり、「映像内容」を考慮した広告動画選択時に使用される。
【００２１】
「推奨ターゲット層」は当該広告動画を配信するターゲットとして推奨できる層を規定するものである。例えば「年齢層」は「〜○歳」「○歳台」「○歳〜」等として指定する。また、「居住地域」は都道府県のみではなく、各エリア（関東、関西）などによる指定も可能である。
【００２２】
「放送推奨時間」は当該広告動画の放送に適した時間、日時を指定するものである。また、「推奨」ではなく、設定した値以外の時期については放送しないといった設定も可能である。「○月、○日」は「○月〜○月」「○月○日〜○月○日」等として指定する。また、「○時〜○時」は放送に適した時間帯を設定するものであり、具体的な時間指定以外に、AM、PM、深夜などといった指定も可能である。
【００２３】
「映像再生ルール」は広告主との契約による放送回数等を設定するものである。例えば「契約形態」には○回/日放送必須等と指定する。「視聴状況」は、例えば日、週、月単位での視聴率（選択率）であり、随時更新される。話題の広告動画を優先的に放送する場合や、広告動画の放送状況を確認する場合に使用することができる。
【００２４】
商品データベース１９２には商品の属性を示す商品属性テーブルが格納されている。図３に商品属性テーブルの項目の一例を示す。商品属性テーブルにおける「販売状況」の「購入層」には当該商品を購入したユーザの属性が履歴として記録される。
【００２５】
また、視聴者データベース１９３には視聴者の属性を示す視聴者属性テーブルが格納されている。図４に視聴者属性テーブルの項目の一例を示す。視聴者属性テーブルの項目の主なものについて以下説明する。
【００２６】
「視聴者ID」は視聴者を一意に識別する識別子である。「視聴者情報」は視聴者個人の情報を設定するものであり、各項目の内容は例えば視聴者が登録時に入力する。「購入履歴」は当該視聴者が購入した商品の情報であり、購入済み商品に関連する商品等を優先的に紹介する場合等に使用することが可能である。「視聴履歴」は当該視聴者が視聴した広告動画の履歴であり、随時更新される。このデータを用いることにより、一度見た広告を見せる、見せないの設定が可能となる。また「視聴状態」により、広告映像の視聴状況の統計を取ることが可能となる。「視聴状態」は広告動画を「最後まで視聴した」、「映像のスキップを行った」等を設定可能であり、この値により視聴者の趣味嗜好の把握を行える。また該当する広告動画の人気調査などへの利用が可能となる。「購入履歴」の「選択ジャンル」は当該視聴者が選択したジャンルの履歴であり、この値により事前に登録された興味のあるジャンルとは別に趣味嗜好の推測を行うことが可能となる。なお、視聴履歴はクライアント端末からの視聴に関する命令等を監視することにより取得可能であり、購入履歴は、例えば、商品購入サイトから取得可能である。
【００２７】
図１の構成において、番組編成サーバ１で編成された番組が動画配信サーバ２に送られてクライアント端末３に配信される。なお、番組編成サーバ１と動画配信サーバ２とを一体として構成してもよい。また、番組編成サーバ１がコンテンツの実体を保持せず、動画配信サーバ２がコンテンツの実体を保持し、番組編成サーバ１が編成結果のみを動画配信サーバ２に送り、動画配信サーバ２が当該編成結果に基づきコンテンツの配信を行うこととしてもよい。
【００２８】
番組編成サーバ１はCPUや記憶装置を有する一般的なコンピュータを用いて実現することが可能である。番組編成サーバ１における各機能部は番組編成サーバ１にインストールされるプログラムにより実現される。当該プログラムはメモリ等の記録媒体に格納して流通させることもできるし、サーバからネットワークを介してダウンロードする形態で流通させることも可能である。
（番組編成サーバ１の処理フロー）
次に、番組編成サーバ１による処理のフローについて説明する。番組編成サーバ１による処理では、まずコンセプトシート作成機能部１１によりコンセプトシートが作成される（ステップ１）。そして、そのコンセプトシートを利用して番組の編成が行われる（ステップ２）。以下、上記の各ステップの処理をより詳細に説明する。
【００２９】
［コンセプトシートの作成について］
コンセプトシートはジャンル毎に作成される。コンセプトシートが作成されるジャンルは例えば図５に示すように階層的な構成とすることができる。図５に示すジャンル毎にコンセプトシートが作成される。
【００３０】
コンセプトシートに記述された内容と、広告動画属性データ、商品属性データ、及び視聴者属性データとに基づき広告動画の選択が行われる。なお、コンセプトシートについても番組の1要素となることがあり得るためコンセプトシート自身にも広告動画と同様の属性データを付与する。また、作成されたコンセプトシートのデータは広告動画データベース１９１に格納されるが、広告動画DB１９１以外の格納手段に格納することとしてもよい。コンセプトシートの作成のフローを図６に示す。
【００３１】
コンセプトシートを作成するユーザの端末が番組編成サーバ１にアクセスすると、番組編成サーバ１はユーザ認証を行う（ステップ１０１）。ここでは、番組編成サーバ１はコンセプトシートを作成する権限のあるユーザを予め登録しておき、アクセスしたユーザが登録したユーザに含まれるかどうかをチェックする。続いて、番組編成サーバ１はコンセプトシート作成GUIをユーザの端末に表示し（ステップ１０２）、ユーザにより入力されてたコンセプトシート内の各項目の入力を受け付ける（ステップ１０３）。そして、入力されたデータをコンセプトシートとして広告動画データベース１９１に格納する（ステップ１０４）。図７にコンセプトシートのデータの一例を示す。コンセプトシート作成のためのGUIについては後に説明する。
【００３２】
［番組編成処理の流れ］
図８に番組編成のための処理フローを示す。まず、キーワード受付機能部１２がクライアント端末から視聴者IDと、キーワードとしてのジャンル名を受け付ける（ステップ２０１）。続いて、オープニングムービー選択機能部１３が、入力されたジャンルに適合するジャンル・カテゴリの広告動画をオープニングムービーとして広告動画データベース１９１から選択し（ステップ２０２）、オープニングムービーの配信を動画配信サーバ２を介して当該クライアント端末に対して行う（ステップ２０３）。
【００３３】
オープニングムービーを配信することにより、編成時に多少の待ち時間があったとしても、視聴者はストレスを感じることがなくなる。なお、視聴者が入力したジャンルに該当する広告動画の他、サービス運営者側で実施中のキャンペーンの情報の広告動画、視聴者の居住地域、年齢等に適合した広告動画を配信することとしてもよい。
【００３４】
そして、コンセプトシート検索機能部１４が入力されたジャンルに適合するコンセプトシートを取得する（ステップ２０４）。
【００３５】
この後、属性データ取得機能部１５とコンテンツ選択機能部１６によりコンセプトシートに基づく広告動画コンテンツの選択、絞込みが行われ、選択された広告動画コンテンツに基づき番組編成機能部１７が番組の編成を行う。これらの処理を図９〜図１３を参照して詳細に説明する。
【００３６】
まず、図９のステップ２０５において、属性データ取得機能部１５が広告動画属性テーブルから、コンセプトシートの「検索キーワード」に指定されているキーワードを持つ広告動画のIDを取得する。図９の右欄に示すように、例えばコンセプトシートの「検索キーワード」に指定されているキーワードが「車」と「自動車」であれば、「車」もしくは「自動車」のキーワードを持つ広告動画のIDを取得する。
【００３７】
続いて、属性データ取得機能部１５は視聴者データベース１９３から、アクセスしている視聴者の視聴者IDに対応する視聴者属性データを取得する（ステップ２０６）。右欄に示すように例えば視聴者属性として「２０歳」、「男性」を含むデータが取得される。そして、コンテンツ選択機能部１６が視聴者属性データに含まれる「視聴者情報」と各広告動画の属性データの「推奨ターゲット層」の各項目とに基づき、コンセプトシートの「対象視聴者」で指定されている内容に従い、対象外となる広告動画を除外する（ステップ２０７）。右欄に示すように、コンセプトシートの「対象視聴者」において対象年齢に合わないコンテンツを除外する旨が指定されていた場合、「推奨ターゲット層」における対象年齢層が３０代以上のコンテンツ等は除外される。
【００３８】
次に、図１０のステップにおいて、コンテンツ選択機能部１６は、現在月日時刻と広告動画属性データの「放送推奨時間」の各項目とを比較し、コンセプトシートの「対象視聴時期」で指定されている内容に従い、対象外となる広告動画を除外する。例えば、コンセプトシートの「対象視聴時期」に対象時間に合わないコンテンツを除外する旨の指定がなされていた場合、現在日時に適合しない広告動画を除外する。
【００３９】
続いて、コンテンツ選択機能部１６は広告動画属性データの「映像詳細」とコンセプトシートの「映像詳細」で指定されている内容とを比較し、対象外となる広告動画を除外する（ステップ２０９）。右欄に示されているように、例えば、コンセプトシートに「実写」以外は選択しない旨の指定がなされている場合、「映像タイプ」がアニメーションの広告動画等は除外される。
【００４０】
その後、図１１のステップ２１０において、属性データ取得機能部１５は商品データベース１９２から、各広告動画の「商品ID」に対応する商品属性データを取得する。そして、コンテンツ選択機能部１６は商品属性データの「データ詳細」「販売状況」とコンセプトシートの「商品情報」で指定されている内容を比較し、対象外となる商品属性データに対応する広告動画を除外する（ステップ２１１）。例えばコンセプトシートに発売日から１年以上経過した商品を扱う広告動画を除外する旨の指定がなされている場合、そのような広告動画は除外される。
【００４１】
次に、図１２のステップ２１２において、コンテンツ選択機能部１６は視聴者属性データの「視聴履歴」と広告動画属性データの「広告動画ID」を比較し、コンセプトシートの「視聴者情報」で指定されている内容に従い、対象外となる広告動画を除外する。右欄に示すように、例えばコンセプトシートに、最後まで視聴済みの広告動画を除外する旨の指定がなされていた場合、「視聴履歴」に基づきそのような広告動画を除外する。
【００４２】
そして、コンテンツ選択機能部１６は広告動画属性データの「視聴状況」とコンセプトシートの「視聴率情報」で指定されている内容を比較し、対象外となる広告動画を除外する（ステップ２１３）。更に、広告動画属性データの「映像再生ルール」とコンセプトシートの「契約形態詳細」で指定されている内容を比較し、対象外となる広告動画を除外する（ステップ２１４）。右欄ではこれらはコンセプトシートで考慮しないものとされているので、本例ではここでの絞り込みは発生しない。
【００４３】
続いて図１３のステップ２１５において、番組編成機能部１７がコンセプトシートで「考慮する」が設定されている各分類項目（対象視聴者、対象視聴時期等）について、広告動画に対する評価を実施する。例えば、コンセプトシート内の「対象視聴時期」が「考慮する」であり、広告属性の「放送推奨時間」が秋、１１月である場合において、現在が１１月であれば、当該分類項目に関する当該広告動画の評価値は高くなる。
【００４４】
そして、番組編成機能部１７がステップ２１５で得られた評価に対し、コンセプトシートで設定されている「分類項目の優先度」に従い重みを掛け合わせる（ステップ２１６）。例えば、コンセプトシートにおいて「対象視聴時期」の「分類項目の優先度」が「高」であればステップ２１５で付けられた当該分類項目の評価の値に予め定めた値が掛けられる。
【００４５】
続いて番組編成機能部１７は広告動画毎に各分類項目での評価を合算し、評価の点数が上位の広告動画から放送優先度を決定する（ステップ２１７）。つまり、点数が大きいほど優先度が高くなる。優先度が高いほど先に配信される。
【００４６】
なお、コンセプトシートの「最大映像数」「最大映像時間」を超える場合は以降の広告動画は放送しないこととしている（ステップ２１８）。このようにして当該視聴者に対して放送される広告動画とそれらを放送する順番が決定され、その順番に従って広告動画が配信される。
【００４７】
（コンセプトシート作成GUIについて）
コンセプトシート作成GUIの一例を図１４〜図２０に示す。図１４〜図２０は、コンセントシートを作成するユーザの端末に表示される画面例を表し、図１４〜図２０が順次表示されるものとする。これらの画面からデータが入力されることにより例えば図７に示したデータが作成される。主な項目は図中に説明を記載したが、編成に関する重要な点を以下に説明する。
【００４８】
図１５において、例えば「対象視聴者」の「性別」の項目では「対象を優先」が選択されている。これにより、広告動画属性の「推奨ターゲット層」の「性別」で指定されている性別が、視聴者の性別と一致している広告動画は、優先度に従って加点される。また、視聴者の性別と一致していない広告動画は加点されない（ただし選択対象としては残される）。例えば、優先度：「高」が設定された場合に、視聴者の性別が男性で、「推奨ターゲット層」の「性別」に「男性」が指定されている広告動画では、１×３＝３点が加点される。また、視聴者の性別が女性で、「推奨ターゲット層」の「性別」に「男性」が指定されている広告動画には加点はされないが選択対象としては残る。また、「対象外は選択しない」が選択された場合、一致しなければ選択されない。一致すれば優先度に基づく加点が行われる。
【００４９】
図２０の画面で入力されたデータにより最終的な編成のための評価が行われる。つまり、まず、選択された各広告動画について、分類項目内「考慮する」が選択された各項目（例えば図１５の「対象視聴者」内の「性別」、「年齢層」、「居住地域」）について加点が行われる。各項目が適合した場合のポイントを１ポイントとし、優先度「高」の項目は１Ｐ  ×  ３  ＝  ３Ｐとなり、優先度「中」の項目は１Ｐ  ×  ２  ＝  ２Ｐとなり、優先度「低」の項目は１Ｐ×１  ＝  １Ｐとなる。
【００５０】
そして、それぞれの分類項目内で合計点を算出し、分類項目優先度を参照し、分類項目優先度「高」の項目は例えば分類項目内の各項目の合計×５とし、分類項目優先度「中」の項目は分類項目内の各項目の合計×３とし、分類項目優先度「低」の項目は分類項目内の各項目の合計×１とする。最終的に全てのポイントを合計し、ポイントの高いものから放送の優先度を高くすることとなる。
【００５１】
なお、本実施の形態ではコンセプトシートをユーザからのデータ入力に基づき作成する例を示したが、視聴者から入力されたキーワード、視聴者ID等に基づき自動的にコンセプトシートを作成することも可能である。この場合、視聴者の属性情報、購入履歴、視聴履歴等から考慮すべき分類項目とその内容を決定する。例えば、視聴者が男性であって、男性を対象とする動画コンテンツが多く視聴されていた場合には、「対象視聴者」の「性別」を「考慮する」とし、優先度を「高」とする。
【００５２】
なお、本発明は、上記の実施の形態に限定されることなく、特許請求の範囲内において、種々変更・応用が可能である。
【図面の簡単な説明】
【００５３】
【図１】本発明の実施の形態における動画配信システムの構成図である。
【図２】広告動画属性テーブルの項目例を示す図である。
【図３】商品属性テーブルの項目例を示す図である。
【図４】視聴者属性テーブルの項目例を示す図である。
【図５】ジャンルの構成例を示す図である。
【図６】コンセプトシートの作成のフローチャートである。
【図７】コンセプトシートのデータ例を示す図である。
【図８】番組編成のための処理フローチャート（ステップ２０１〜２０４）である。
【図９】番組編成のための処理フローチャート（ステップ２０５〜２０７）である。
【図１０】番組編成のための処理フローチャート（ステップ２０８〜２０９）である。
【図１１】番組編成のための処理フローチャート（ステップ２１０〜２１１）である。
【図１２】番組編成のための処理フローチャート（ステップ２１２〜２１４）である。
【図１３】番組編成のための処理フローチャート（ステップ２１５〜２１８）である。
【図１４】コンセプトシート作成GUI画面例（その１）である。
【図１５】コンセプトシート作成GUI画面例（その２）である。
【図１６】コンセプトシート作成GUI画面例（その３）である。
【図１７】コンセプトシート作成GUI画面例（その４）である。
【図１８】コンセプトシート作成GUI画面例（その５）である。
【図１９】コンセプトシート作成GUI画面例（その６）である。
【図２０】コンセプトシート作成GUI画面例（その７）である。
【符号の説明】
【００５４】
１  番組編成サーバ
２  動画配信サーバ
３  クライアント端末
４  インターネット
１１  コンセプトシート作成機能部
１２  キーワード受付機能部
１３  オープニングムービー選択機能部
１４  コンセプトシート検索機能部
１５  属性データ取得機能部
１６  コンテンツ選択機能部
１７  番組編成機能部
１８  外部通信機能部
１９  データベース格納部
１９１  広告動画データベース
１９２  商品データベース
１９３  視聴者データベース
【図１】
2007201741.tif 000003
【図２】
2007201741.tif 000004
【図３】
2007201741.tif 000005
【図４】
2007201741.tif 000006
【図５】
2007201741.tif 000007
【図６】
2007201741.tif 000008
【図７】
2007201741.tif 000009
【図８】
2007201741.tif 000010
【図９】
2007201741.tif 000011
【図１０】
2007201741.tif 000012
【図１１】
2007201741.tif 000013
【図１２】
2007201741.tif 000014
【図１３】
2007201741.tif 000015
【図１４】
2007201741.tif 000016
【図１５】
2007201741.tif 000017
【図１６】
2007201741.tif 000018
【図１７】
2007201741.tif 000019
【図１８】
2007201741.tif 000020
【図１９】
2007201741.tif 000021
【図２０】
2007201741.tif 000022